(57)【特許請求の範囲】
【請求項１】
伝送フォーマット変換前のデジタル放送信号から前記伝送フォーマット変換によって削除される所定情報を抽出する情報抽出手段と、
前記情報抽出手段が抽出した所定情報を含む情報パケットを生成する情報パケット生成手段と、
伝送フォーマット変換後の前記デジタル放送信号に含まれるＮｕｌｌパケットを検出し、検出した前記Ｎｕｌｌパケットに前記情報パケット生成手段が生成した情報パケットを付加するＮｕｌｌパケット付加手段とを
含むことを特徴とするデジタル放送信号伝送システム。
【請求項２】
受信したデジタル放送信号に含まれる情報パケット及びＩＩＰパケットを検出するパケット検出手段と、
前記パケット検出手段が検出した前記ＩＩＰパケットに基づいて、検出した前記情報パケットに含まれる所定情報を前記デジタル放送信号に多重するタイミングを示す多重フレームタイミング信号を生成する多重フレームタイミング信号生成手段と、
前記多重フレームタイミング信号生成手段が生成した多重フレームタイミング信号に従って、伝送フォーマット再変換後の前記デジタル放送信号に前記所定情報を多重する情報多重手段とを含む
請求項１記載のデジタル放送信号伝送システム。
【請求項３】
デジタル放送信号の伝送フォーマットを変換する伝送フォーマット変換手段を含み、
Ｎｕｌｌパケット付加手段は、前記伝送フォーマット変換手段が伝送フォーマットを変換したデジタル放送信号に含まれるＮｕｌｌパケットを検出し、検出した前記Ｎｕｌｌパケットに情報パケットを付加する
請求項２記載のデジタル放送信号伝送システム。
【請求項４】
伝送フォーマット変換手段が変換した伝送フォーマットを再変換する伝送フォーマット再変換手段を含み、
情報多重手段は、前記伝送フォーマット再変換手段が伝送フォーマットを再変換したデジタル放送信号に所定情報を多重する
請求項３記載のデジタル放送信号伝送システム。
【請求項５】
Ｎｕｌｌパケット付加手段は、伝送フォーマット変換後のデジタル放送信号の有効階層に含まれるＮｕｌｌパケットを検出し、検出した前記Ｎｕｌｌパケットに情報パケット生成手段が生成した情報パケットを付加する
請求項１から請求項４のうちのいずれか１項に記載のデジタル放送信号伝送システム。
【請求項６】
伝送フォーマット変換前のデジタル放送信号から前記伝送フォーマット変換によって削除される所定情報を抽出する情報抽出手段と、
前記情報抽出手段が抽出した所定情報を含む情報パケットを生成する情報パケット生成手段と、
伝送フォーマット変換後の前記デジタル放送信号に含まれるＮｕｌｌパケットを検出し、検出した前記Ｎｕｌｌパケットに前記情報パケット生成手段が生成した情報パケットを付加するＮｕｌｌパケット付加手段とを
備えたことを特徴とするデジタル放送信号変換装置。
【請求項７】
伝送フォーマット変換前のデジタル放送信号から前記伝送フォーマット変換によって削除される所定情報を抽出する情報抽出手段と、
前記情報抽出手段が抽出した所定情報を含む情報パケットを生成する情報パケット生成手段と、
伝送フォーマット変換後の前記デジタル放送信号に含まれるＮｕｌｌパケットを検出し、検出した前記Ｎｕｌｌパケットに前記情報パケット生成手段が生成した情報パケットを付加するＮｕｌｌパケット付加手段とを
備えたことを特徴とするデジタル放送信号変換装置の伝送回路。
【請求項８】
伝送フォーマット変換前のデジタル放送信号から前記伝送フォーマット変換によって削除される所定情報を抽出する情報抽出手段と、
前記情報抽出手段が抽出した所定情報を含む情報パケットを生成する情報パケット生成手段と、
伝送フォーマット変換後の前記デジタル放送信号に含まれるＮｕｌｌパケットを検出し、検出した前記Ｎｕｌｌパケットに前記情報パケット生成手段が生成した情報パケットを付加するＮｕｌｌパケット付加手段とを
備えたことを特徴とするデジタル放送信号送信装置。
【請求項９】
伝送フォーマット変換前のデジタル放送信号から前記伝送フォーマット変換によって削除される所定情報を抽出し、
抽出した所定情報を含む情報パケットを生成し、
伝送フォーマット変換後の前記デジタル放送信号に含まれるＮｕｌｌパケットを検出し、検出した前記Ｎｕｌｌパケットに前記情報パケット生成手段が生成した情報パケットを付加する
ことを特徴とするデジタル放送信号伝送方法。
【発明の詳細な説明】
【技術分野】
【０００１】
本発明は、デジタル放送信号を伝送するデジタル放送信号伝送システム及びデジタル放送信号伝送方法に関する。また、本発明は、デジタル放送信号伝送システムに用いられるデジタル放送信号変換装置、デジタル放送信号変換装置の伝送回路及びデジタル放送信号送信装置に関する。
【背景技術】
【０００２】
地上デジタル放送は、ＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ：統合デジタル放送）のＩＳＤＢ−Ｔ方式によって実施されている。
【０００３】
ＩＳＤＢ−Ｔ方式では、トランスポートストリーム（以下、ＴＳ）に対して、所定の信号処理を行ってからＯＦＤＭ（Ｏｒｔｈｏｇｏｎａｌ  Ｆｒｅｑｕｅｎｃｙ  Ｄｉｂｉｓｉｏｎ  Ｍｕｌｔｉｐｌｅｘｉｎｇ：直交周波数分割多重）信号の形態で伝送する。
【０００４】
関連する技術として、例えば、特許文献１及び特許文献２には、放送衛星を利用して地上デジタル放送のコンテンツを配信する方法が記載されている。
【先行技術文献】
【特許文献】
【０００５】
【特許文献１】特開２００９−０４４３５４号公報（段落００３２）
【特許文献２】特開２００９−０４４３５５号公報（段落００４２）
【発明の概要】
【発明が解決しようとする課題】
【０００６】
２０４ｂｙｔｅで１ＴＳ（パケット）を構成する地上デジタル放送の信号を、例えば、衛星回線を利用するために１８８ｂｙｔｅ形式の伝送フォーマットに変換することが行われている。この場合、１８９〜２０４ｂｙｔｅ目が廃棄され、この部分に含まれるＩＳＤＢ−Ｔ＿ｉｎｆｏｒｍａｔｉｏｎが伝送されないという問題がある。
【０００７】
このため、受信機は同領域でしか伝送されないデータ（例えば、緊急放送用のデータやフレームのデータ、他の装置を制御するためのデータ、変調方式を示すデータなど）を受信することができない。
【０００８】
また、特許文献１又は特許文献２にも、ＩＳＤＢ−Ｔ＿ｉｎｆｏｒｍａｔｉｏｎは実際には伝送されないことが記載されている。
【０００９】
そこで、本発明は、デジタル放送信号の伝送フォーマットを変換して送信する場合でも、デジタル放送信号中の情報が欠落することなく伝送することができるデジタル放送信号伝送システム、デジタル放送信号変換装置、デジタル放送信号変換装置の伝送回路、デジタル放送信号送信装置及びデジタル放送信号伝送方法を提供することを目的とする。
【課題を解決するための手段】
【００１０】
本発明によるデジタル放送信号伝送システムは、伝送フォーマット変換前のデジタル放送信号から伝送フォーマット変換によって削除される所定情報を抽出する情報抽出手段と、情報抽出手段が抽出した所定情報を含む情報パケットを生成する情報パケット生成手段と、伝送フォーマット変換後のデジタル放送信号に含まれるＮｕｌｌパケットを検出し、検出したＮｕｌｌパケットに情報パケット生成手段が生成した情報パケットを付加するＮｕｌｌパケット付加手段とを含むことを特徴とする。
【００１１】
本発明によるデジタル信号変換装置は、伝送フォーマット変換前のデジタル放送信号から伝送フォーマット変換によって削除される所定情報を抽出する情報抽出手段と、情報抽出手段が抽出した所定情報を含む情報パケットを生成する情報パケット生成手段と、伝送フォーマット変換後のデジタル放送信号に含まれるＮｕｌｌパケットを検出し、検出したＮｕｌｌパケットに情報パケット生成手段が生成した情報パケットを付加するＮｕｌｌパケット付加手段とを備えたことを特徴とする。
【００１２】
本発明によるデジタル信号変換装置の伝送回路は、伝送フォーマット変換前のデジタル放送信号から伝送フォーマット変換によって削除される所定情報を抽出する情報抽出手段と、情報抽出手段が抽出した所定情報を含む情報パケットを生成する情報パケット生成手段と、伝送フォーマット変換後のデジタル放送信号に含まれるＮｕｌｌパケットを検出し、検出したＮｕｌｌパケットに情報パケット生成手段が生成した情報パケットを付加するＮｕｌｌパケット付加手段とを備えたことを特徴とする。
【００１３】
本発明によるデジタル信号送信装置は、伝送フォーマット変換前のデジタル放送信号から伝送フォーマット変換によって削除される所定情報を抽出する情報抽出手段と、情報抽出手段が抽出した所定情報を含む情報パケットを生成する情報パケット生成手段と、伝送フォーマット変換後のデジタル放送信号に含まれるＮｕｌｌパケットを検出し、検出したＮｕｌｌパケットに情報パケット生成手段が生成した情報パケットを付加するＮｕｌｌパケット付加手段とを備えたことを特徴とする。
【００１４】
本発明によるデジタル信号伝送方法は、伝送フォーマット変換前のデジタル放送信号から伝送フォーマット変換によって削除される所定情報を抽出し、抽出した所定情報を含む情報パケットを生成し、伝送フォーマット変換後のデジタル放送信号に含まれるＮｕｌｌパケットを検出し、検出したＮｕｌｌパケットに情報パケット生成手段が生成した情報パケットを付加することを特徴とする。
【発明の効果】
【００１５】
本発明によれば、デジタル放送信号の伝送フォーマットを変換して送信する場合でも、デジタル放送信号中の情報が欠落することなく伝送することができる。
【図面の簡単な説明】
【００１６】
【図１】地上デジタル信号変換装置におけるＩＳＤＢ−Ｔ＿ｉｎｆｏｒｍａｔｉｏｎ伝送回路の送信側（送信装置）の構成例を示すブロック図である。
【図２】地上デジタル信号変換装置におけるＩＳＤＢ−Ｔ＿ｉｎｆｏｒｍａｔｉｏｎ伝送回路の受信側（受信装置）の構成例を示すブロック図である。
【図３】デジタル放送信号伝送システムが実行する処理例を示す流れ図である。
【図４】デジタル放送信号伝送システムが実行する処理例を示す流れ図である。
【図５】地上デジタル放送で使用される放送ＴＳのパケット構成を示す説明図である。
【図６】情報パケット生成部１４が生成する情報パケットの一例を示す説明図である。
【図７】デジタル放送信号伝送システムの最小の構成例を示すブロック図である。
【発明を実施するための形態】
【００１７】
以下、本発明の実施形態について図面を参照して説明する。図１は、地上デジタル信号変換装置におけるＩＳＤＢ−Ｔ＿ｉｎｆｏｒｍａｔｉｏｎ伝送回路の送信側（送信装置）の構成例を示すブロック図である。図１に示すように、地上デジタル信号変換装置におけるＩＳＤＢ−Ｔ＿ｉｎｆｏｒｍａｔｉｏｎ伝送回路は、送信側にＴＳ長変換部ＴＸ（Ｔｒａｎｓｍｉｔｔｅｒ）１１と、Ｎｕｌｌ  Ｐａｃｋｅｔ交換部１２と、ＩＳＤＢ−Ｔ_ｉｎｆｏｒｍａｔｉｏｎ抽出部１３と、情報パケット生成部１４とを含む。
【００１８】
ＴＳ長変換部ＴＸ１１は、ＩＳＤＢ−Ｔ放送のＴＳ信号を受信し、ＴＳ長（伝送フォーマット）を２０４ｂｙｔｅから１８８ｂｙｔｅに変換する機能を備えている。また、ＴＳ長変換部ＴＸ１１は、ＴＳ長を変換したＴＳ信号を、１８８ｂｙｔｅＴＳＴＸ信号としてＮｕｌｌ  Ｐａｃｋｅｔ交換部１２に出力する機能を備えている。
【００１９】
Ｎｕｌｌ  Ｐａｃｋｅｔ交換部１２は、ＴＳ長変換部ＴＸ１１が出力する１８８ｂｙｔｅＴＳＴＸ信号から、Ｎｕｌｌ  Ｐａｃｋｅｔを検出する機能を備えている。また、Ｎｕｌｌ  Ｐａｃｋｅｔ交換部１２は、検出したＮｕｌl  Ｐａｃｋｅｔを情報パケット生成部１４が出力する情報パケットＴＸと交換多重し、変換後ＴＳとして出力する機能を備えている。本実施形態では、変換後ＴＳが送信側から受信側に送信される。
【００２０】
ＩＳＤＢ−Ｔ_ｉｎｆｏｒｍａｔｉｏｎ抽出部１３は、ＩＳＤＢ−Ｔ放送のＴＳ信号を受信し、ＩＳＤＢ−Ｔ_ｉｎｆｏｒｍａｔｉｏｎを抽出する機能を備えている。また、ＩＳＤＢ−Ｔ_ｉｎｆｏｒｍａｔｉｏｎ抽出部１３は、抽出したＩＳＤＢ−Ｔ＿ｉｎｆｏｒｍａｔｉｏｎを、ＩＳＤＢ−Ｔ情報ＴＸとして情報パケット生成部１４に出力する機能を備えている。
【００２１】
情報パケット生成部１４は、ＩＳＤＢ−Ｔ_ｉｎｆｏｒｍａｔｉｏｎ抽出部１３が出力するＩＳＤＢ−Ｔ情報ＴＸを受信し、情報パケットＴＸ（詳細については後述する）を生成する機能を備えている。情報パケット生成部１４は、生成した情報パケットＴＸをＮｕｌｌ  Ｐａｃｋｅｔ交換部１２に出力する機能を備えている。
【００２２】
次に、デジタル放送信号伝送システムの受信側（受信装置）の構成について説明する。図２は、地上デジタル信号変換装置におけるＩＳＤＢ−Ｔ＿ｉｎｆｏｒｍａｔｉｏｎ伝送回路の受信側（受信装置）の構成例を示すブロック図である。
【００２３】
図２に示すように、地上デジタル信号変換装置におけるＩＳＤＢ−Ｔ＿ｉｎｆｏｒｍａｔｉｏｎ伝送回路は、送信側に、各種パケット検出・変換部２１と、ＴＳ長変換部ＲＸ（Ｒｅｃｉｅｖｅｒ）２２と、ＩＳＤＢ−Ｔ＿ｉｎｆｏｒｍａｔｉｏｎ多重部２３と、ＩＩＰ（ＩＳＤＢ−Ｔ＿ｉｎｆｏｒｍａｔｉｏｎ＿Ｐａｃｋｅｔ）パケット解析部２４と、ＩＳＤＢ−Ｔ＿ｉｎｆｏｒｍａｔｉｏｎ抽出部２５とを含む。
【００２４】
各種パケット検出・変換部２１は、変換後ＴＳを受信し、ＩＩＰパケットと情報パケット（以降、各種パケット検出・変換部２１が検出して出力する情報パケットを情報パケットＲＸという）とを検出して出力する機能を備えている。また、各種パケット検出・変換部２１は、変換後ＴＳに含まれる情報パケットをＮｕｌｌパケットに変換し、１８８ｂｙｔｅＴＳＲＸ信号としてＴＳ長変換部ＲＸ２２に出力する機能を備えている。
【００２５】
ＴＳ長変換部ＲＸ２２は、各種パケット検出・変換部２１が出力する１８８ｂｙｔｅＴＳＲＸを受信し、ＴＳ長を２０４ｂｙｔｅに変換し、２０４ｂｙｔｅＴＳとしてＩＳＤＢ−Ｔ＿ｉｎｆｏｒｍａｔｉｏｎ多重部２３に出力する機能を備えている。
【００２６】
ＩＳＤＢ−Ｔ＿ｉｎｆｏｒｍａｔｉｏｎ多重部２３は、ＴＳ長変換部ＲＸ２２が出力する２０４ｂｙｔｅＴＳの１８９〜１９６ｂｙｔｅ目に、ＩＳＤＢ−Ｔ＿ｉｎｆｏｒｍａｔｉｏｎ抽出部２５が出力するＩＳＤＢ−Ｔ情報ＲＸを多重する機能を備えている。また、ＩＳＤＢ−Ｔ＿ｉｎｆｏｒｍａｔｉｏｎ多重部２３は、２０４ｂｙｔｅＴＳにＩＳＤＢ−Ｔ情報ＲＸを多重して、ＩＳＤＢ−Ｔ放送ＴＳとして出力する機能を備えている。
【００２７】
ＩＩＰパケット解析部２４は、各種パケット検出・変換部２１が出力するＩＩＰパケットを受信し、ＩＳＤＢ−Ｔ_情報ＲＸを多重するタイミングを示す基準信号となる多重フレームタイミング信号を出力する機能を備えている。具体的には、ＩＩＰパケット解析部２４は、各種パケット検出・変換部２１が出力するＩＩＰパケットを解析し、解析結果に基づいて多重フレームタイミング信号を生成し、ＩＳＤＢ−Ｔ＿ｉｎｆｏｒｍａｔｉｏｎ抽出部２５に出力する。
【００２８】
ＩＳＤＢ−Ｔ＿ｉｎｆｏｒｍａｔｉｏｎ抽出部２５は、各種パケット検出・変換部２１が出力する情報パケットＲＸを受信し、１ＴＳ（パケット）毎のＩＳＤＢ−Ｔ＿ｉｎｆｏｒｍａｔｉｏｎ情報であるＩＳＤＢ−Ｔ情報ＲＸを抽出して出力する機能を備えている。
【００２９】
次に、地上デジタル信号変換装置を用いたデジタル放送信号伝送システムの動作について図１〜６を用いて説明する。図３及び図４は、デジタル放送信号伝送システムが実行する処理例を示す流れ図である。図５は、地上デジタル放送で使用される放送ＴＳのパケット構成を示す説明図である。図６は、情報パケット生成部１４が生成する情報パケットの一例を示す説明図である。
【００３０】
最初に、デジタル放送信号伝送システムの送信側（送信装置）の動作について図３を用いて説明する。
【００３１】
デジタル放送信号伝送システムの送信側の装置にＩＳＤＢ−Ｔ放送ＴＳ信号が入力されると、ＴＳ長変換部ＴＸ１は、ＩＳＤＢ−Ｔ放送ＴＳ信号を受信し、ＴＳパケットの１８９〜２０４ｂｙｔｅのデータを除去して１８８ｂｙｔｅ長のデータに変換し、１８８ｂｙｔｅＴＳＴＸ信号としてＮｕｌｌ  Ｐａｃｋｅｔ交換部２に出力する（ステップＳ１１）。
【００３２】
また、ＩＳＤＢ−Ｔ_ｉｎｆｏｒｍａｔｉｏｎ抽出部３は、ＩＳＤＢ−Ｔ放送ＴＳ信号を受信し、ＴＳパケットの１８９ｂｙｔｅ目から１９６ｂｙｔｅ目に重畳されているＩＳＤＢ−Ｔ_ｉｎｆｏｒｍａｔｉｏｎを抽出し、ＩＳＤＢ−Ｔ情報ＴＸ信号として情報パケット生成部４に出力する（ステップＳ１２）。なお、ステップＳ１１、Ｓ１２については、実行する順番が逆であってもよい。
【００３３】
次いで、情報パケット生成部４は、ＩＳＤＢ−Ｔ_ｉｎｆｏｒｍａｔｉｏｎ抽出部３が出力するＴＳパケット毎のＩＳＤＢ−Ｔ情報ＴＸ信号（８ｂｙｔｅ）を受信し、これを２３パケット分蓄積して、情報パケットＴＸを生成し、Ｎｕｌｌ  Ｐａｃｋｅｔ交換部２に出力する（ステップＳ１３）。例えば、情報パケット生成部４は、図６に示す構成の情報パケットＴＸを生成する。なお、情報パケット生成部４は、ＩＳＤＢ−Ｔ_ｉｎｆｏｒｍａｔｉｏｎやＩＩＰパケットよりフレーム構成を検出し、フレームの先頭のデータがわかるようにＴＳ  ｈｅａｄｅｒ中のｐａｙｌｏａｄ＿ｕｎｉｔ＿ｓｔａｒｔ＿ｉｎｄｉｃａｔｏｒを７’１’にして情報パケットＴＸを出力する。また、情報パケット生成部４は、このパケットのＰＩＤを予め他のＴＳパケットのＰＩＤと重複しない、ユニークなものとするように制御する。
【００３４】
次いで、Ｎｕｌｌ  Ｐａｃｋｅｔ交換部２は、ＴＳ長変換部１が出力した１８８ｂｙｔｅＴＳＴＸ信号と、情報パケット生成部４が出力した情報パケットＴＸ信号とを受信する。そして、Ｎｕｌｌ  Ｐａｃｋｅｔ交換部２は、１８８ｂｙｔｅＴＳＴＸ信号からＮｕｌｌ  Ｐａｃｋｅｔを検出し、情報パケットＴＸが準備できていた場合には、Ｎｕｌｌ  Ｐａｃｋｅｔの位置にＮｕｌｌ  Ｐａｃｋｅｔの代わりに情報パケットを多重し、変換後ＴＳとして出力する（ステップＳ１４）。情報パケット生成部４が生成した情報パケットをＮｕｌｌ  Ｐａｃｋｅｔに多重するまでにタイムラグがあるので、例えば、Ｎｕｌｌ  Ｐａｃｋｅｔ交換部２は、情報パケット生成部４が出力した情報パケットをバッファに一時的に記憶しておく。その後、デジタル放送信号伝送システムは、変換後ＴＳを送信する。
【００３５】
デジタル放送信号には一般的にＮｕｌl  Ｐａｃｋｅｔが含まれるので、Ｎｕｌl  Ｐａｃｋｅｔ交換部２は、ＴＳ長変換部１が出力したパケットがＮｕｌｌ  Ｐａｃｋｅｔであるか否かを判断する。そして、Ｎｕｌｌ  Ｐａｃｋｅｔであると判断すれば、Ｎｕｌl  Ｐａｃｋｅｔ交換部２は、Ｎｕｌｌ  Ｐａｃｋｅｔに情報パケットＴＸを多重する。このように、本実施形態では、一般にデジタル放送信号にＮｕｌｌ  Ｐａｃｋｅｔが含まれることを利用して、情報パケットを送信する。
【００３６】
次に、デジタル放送信号伝送システムの受信側（受信装置）の動作について図４を用いて説明する。
【００３７】
送信側から変換後ＴＳが送信されると、各種パケット検出・変換部２１は、変換後ＴＳを受信し、ストリーム中よりＰＩＤを識別してＩＩＰパケットと情報パケットとを抽出する。そして、各種パケット検出・変換部２１は、ＩＩＰパケットをＩＩＰパケット解析部２４に、情報パケットを情報パケットＲＸ信号としてＩＳＤＢ−Ｔ＿ｉｎｆｏｒｍａｔｉｏｎ抽出部２５に出力する（ステップＳ２１）。
【００３８】
また、各種パケット検出・変換部２１は、変換後ＴＳに含まれる情報パケットの位置に、情報パケットの代わりにＮｕｌｌ  Ｐａｃｋｅｔを多重し、１８８ｂｙｔｅＴＳＲＸ信号としてＴＳ長変換部ＲＸ２２に出力する（ステップＳ２２）。
【００３９】
次いで、ＴＳ長変換部ＲＸ２２は、各種パケット検出・変換部２１が出力する１８８ｂｙｔｅＴＳＲＸ信号を受信し、１６ｂｙｔｅのダミーデータ（全て’０’）を付加し、ＴＳ長を２０４ｂｙｔｅに変換する。そして、ＴＳ長変換部ＲＸ２２は、２０４ｂｙｔｅＴＳ信号としてＩＳＤＢ−Ｔ＿ｉｎｆｏｒｍａｔｉｏｎ多重部２３に出力する（ステップＳ２３）。
【００４０】
また、ＩＩＰパケット解析部２４は、各種パケット検出・変換部２１が出力するＩＩＰパケットを受信し、ＩＩＰパケットを解析する。そして、ＩＩＰパケット解析部２４は、解析結果に基づいてＩＳＤＢ−Ｔ_情報ＲＸを多重するタイミングを示す基準信号となる多重フレームタイミング信号を生成し、ＩＳＤＢ−Ｔ＿ｉｎｆｏｒｍａｔｉｏｎ抽出部２５に出力する（ステップＳ２４）。
【００４１】
次いで、ＩＳＤＢ−Ｔ＿ｉｎｆｏｒｍａｔｉｏｎ抽出部２５は、各種パケット検出・変換部２１が出力する情報パケットＲＸを受信し、１ＴＳ毎のＩＳＤＢ−Ｔ＿ｉｎｆｏｒｍａｔｉｏｎ情報を抽出し、ＩＳＤＢ−Ｔ情報ＲＸとして出力する（ステップＳ２５）。ここで、ＩＳＤＢ−Ｔ＿ｉｎｆｏｒｍａｔｉｏｎ抽出部２５は、ＩＩＰパケット解析部２４が出力する多重フレームタイミング信号を基準とし、２０４ｂｙｔｅＴＳ信号中の各種信号とタイミングが合うようにＩＳＤＢ−Ｔ情報ＲＸを出力する。なお、ステップＳ２３と、ステップＳ２４及びＳ２５とは、実行する順番が逆であってもよい。
【００４２】
次いで、ＩＳＤＢ−Ｔ＿ｉｎｆｏｒｍａｔｉｏｎ多重部２３は、ＴＳ長変換部ＲＸ２２が出力する２０４ｂｙｔｅＴＳの１８９〜１９６ｂｙｔｅ目に、ＩＳＤＢ−Ｔ＿ｉｎｆｏｒｍａｔｉｏｎ抽出部２５が出力するＩＳＤＢ−Ｔ情報ＲＸを多重し、ＩＳＤＢ−Ｔ放送ＴＳ信号として出力する（ステップＳ２６）。
【００４３】
以上のように、本実施形態では、２０４ｂｙｔｅで構成される地上デジタル放送の放送ＴＳ信号を１８８ｂｙｔｅ形式の伝送フォーマットに変換する場合でも、１８９ｂｙｔｅ〜１９６ｂｙｔｅ目に重畳されているＩＳＤＢ−Ｔ＿ｉｎｆｏｒｍａｔｉｏｎを伝送することができる。また、これにより、受信側では、無効階層で送信しているＩＩＰパケットに含まれないＡＣデータなどの情報再生が可能となる。
【００４４】
なお、受信側では、全てのＩＳＤＢ−Ｔ＿ｉｎｆｏｒｍａｔｉｏｎを再多重せず、あらかじめフォーマットを定め、必要な情報だけ（例えばＩＩＰパケットで送信されていない情報やＩＩＰパケットの情報から受信側で再生成できない情報）を再多重するようにしてもよい。このことにより、処理する情報量を削減することができる。
【００４５】
また、地上デジタル放送の無効階層のＮｕｌｌ  Ｐａｃｋｅｔを除去して伝送するシステムの場合には、送信側において、有効階層（Ａ／Ｂ／Ｃ階層）に存在するＮｕｌｌ  ＰａｃｋｅｔだけにＩＳＤＢ−Ｔ＿Ｉｎｆｏｒｍａｔｉｏｎを多重することで対応が可能である。
【００４６】
また、本発明は、地上デジタル放送だけではなく、同様に２０４ｂｙｔｅフォーマットで伝送されるＢＳ放送にも適用可能である。
【００４７】
次に、本発明によるデジタル放送信号伝送システムの最小構成について説明する。図７は、デジタル放送信号伝送システムの最小の構成例を示すブロック図である。図７に示すように、デジタル放送信号伝送システムは、最小の構成要素として、情報抽出手段１０１と、情報パケット生成手段１０２と、Ｎｕｌｌパケット付加手段１０３とを含む。
【００４８】
図７に示す最小構成のデジタル放送信号伝送システムでは、情報抽出手段１０１は、伝送フォーマット変換前のデジタル放送信号から伝送フォーマット変換によって削除される所定情報を抽出する。次いで、情報パケット生成手段１０２は、情報抽出手段１０１が抽出した所定情報を含む情報パケットを生成する。次いで、Ｎｕｌｌパケット付加手段１０３は、伝送フォーマット変換後のデジタル放送信号に含まれるＮｕｌｌパケットを検出し、検出したＮｕｌｌパケットに情報パケット生成手段１０２が生成した情報パケットを付加する。
【００４９】
従って、最小構成のデジタル放送信号伝送システムによれば、デジタル放送信号の伝送フォーマットを変換して送信する場合でも、デジタル放送信号中の情報が欠落することなく伝送することができる。
【００５０】
なお、本実施形態では、以下の（１）〜（５）に示すようなデジタル放送信号伝送システムの特徴的構成が示されている。
【００５１】
（１）デジタル放送信号伝送システムは、伝送フォーマット変換前（例えば、２０４ｂｙｔｅ形式）のデジタル放送信号（例えば、ＩＳＤＢ−Ｔ放送ＴＳ信号）から伝送フォーマット変換によって削除される所定情報（例えば、ＩＳＤＢ−Ｔ情報ＴＸ）を抽出する情報抽出手段（例えば、ＩＳＤＢ−Ｔ＿ｉｎｆｏｒｍａｔｉｏｎ抽出部１３によって実現される）と、情報抽出手段が抽出した所定情報を含む情報パケット（例えば、情報パケットＴＸ）を生成する情報パケット生成手段（例えば、情報パケット生成部１４によって実現される）と、伝送フォーマット変換後のデジタル放送信号（例えば、１８８ｂｙｔｅＴＳＴＸ）に含まれるＮｕｌｌパケットを検出し、検出したＮｕｌｌパケットに情報パケット生成手段が生成した情報パケットを付加する（例えば、交換多重する）Ｎｕｌｌパケット付加手段（例えば、Ｎｕｌｌ  Ｐａｃｋｅｔ交換部１２によって実現される）とを含むことを特徴とする。
【００５２】
（２）デジタル放送信号伝送システムにおいて、受信したデジタル放送信号（例えば、変換後ＴＳ）に含まれる情報パケット（例えば、情報パケットＲＸ）及びＩＩＰパケットを検出するパケット検出手段（例えば、各種パケット検出・変換部２１によって実現される）と、パケット検出手段が検出したＩＩＰパケットに基づいて、検出した情報パケットに含まれる所定情報（例えば、ＩＳＤＢ−Ｔ情報ＲＸ）をデジタル放送信号に多重するタイミングを示す多重フレームタイミング信号を生成する多重フレームタイミング信号生成手段（例えば、ＩＩＰパケット解析部２４によって実現される）と、多重フレームタイミング信号生成手段が生成した多重フレームタイミング信号に従って、伝送フォーマット再変換後のデジタル放送信号（例えば、２０４ｂｙｔｅＴＳ）に所定情報を多重する情報多重手段（例えば、ＩＳＤＢ−Ｔ＿ｉｎｆｏｒｍａｔｉｏｎ抽出部２５及びＩＳＤＢ−Ｔ＿ｉｎｆｏｒｍａｔｉｏｎ多重部２３によって実現される）とを含むように構成されていてもよい。
【００５３】
（３）デジタル放送信号の伝送フォーマットを変換する（例えば、２０４ｂｙｔｅ形式から１８８ｂｙｔｅ形式に変換する）伝送フォーマット変換手段（例えば、ＴＳ長変換部１１によって実現される）を含み、Ｎｕｌｌパケット付加手段は、伝送フォーマット変換手段が伝送フォーマットを変換したデジタル放送信号に含まれるＮｕｌｌパケットを検出し、検出したＮｕｌｌパケットに情報パケットを付加するように構成されていてもよい。
【００５４】
（４）伝送フォーマット変換手段が変換した伝送フォーマットを再変換する（例えば、１８８ｂｙｔｅ形式から２０４ｂｙｔｅ形式に変換する）伝送フォーマット再変換手段（例えば、ＴＳ長変換部ＲＸ２２によって実現される）を含み、情報多重手段は、伝送フォーマット再変換手段が伝送フォーマットを再変換したデジタル放送信号に所定情報を多重するように構成されていてもよい。
【００５５】
（５）Ｎｕｌｌパケット付加手段は、伝送フォーマット変換後のデジタル放送信号の有効階層（例えば、Ａ層、Ｂ層及びＣ層）に含まれるＮｕｌｌパケットを検出し、検出したＮｕｌｌパケットに情報パケット生成手段が生成した情報パケットを付加するように構成されていてもよい。
【００５６】
上記の実施形態の一部又は全部は、以下の付記のようにも記載され得るが、以下には限られない。
【００５７】
（付記１）伝送フォーマット変換前のデジタル放送信号から前記伝送フォーマット変換によって削除される所定情報を抽出する情報抽出手段と、前記情報抽出手段が抽出した所定情報を含む情報パケットを生成する情報パケット生成手段と、伝送フォーマット変換後の前記デジタル放送信号に含まれるＮｕｌｌパケットを検出し、検出した前記Ｎｕｌｌパケットに前記情報パケット生成手段が生成した情報パケットを付加するＮｕｌｌパケット付加手段とを含むことを特徴とするデジタル放送信号伝送システム。
【００５８】
（付記２）受信したデジタル放送信号に含まれる情報パケット及びＩＩＰパケットを検出するパケット検出手段と、前記パケット検出手段が検出した前記ＩＩＰパケットに基づいて、検出した前記情報パケットに含まれる所定情報を前記デジタル放送信号に多重するタイミングを示す多重フレームタイミング信号を生成する多重フレームタイミング信号生成手段と、前記多重フレームタイミング信号生成手段が生成した多重フレームタイミング信号に従って、伝送フォーマット再変換後の前記デジタル放送信号に前記所定情報を多重する情報多重手段とを含む付記１記載のデジタル放送信号伝送システム。
【００５９】
（付記３）デジタル放送信号の伝送フォーマットを変換する伝送フォーマット変換手段を含み、Ｎｕｌｌパケット付加手段は、前記伝送フォーマット変換手段が伝送フォーマットを変換したデジタル放送信号に含まれるＮｕｌｌパケットを検出し、検出した前記Ｎｕｌｌパケットに情報パケットを付加する付記２記載のデジタル放送信号伝送システム。
【００６０】
（付記４）伝送フォーマット変換手段が変換した伝送フォーマットを再変換する伝送フォーマット再変換手段を含み、情報多重手段は、前記伝送フォーマット再変換手段が伝送フォーマットを再変換したデジタル放送信号に所定情報を多重する付記３記載のデジタル放送信号伝送システム。
【００６１】
（付記５）Ｎｕｌｌパケット付加手段は、伝送フォーマット変換後のデジタル放送信号の有効階層に含まれるＮｕｌｌパケットを検出し、検出した前記Ｎｕｌｌパケットに情報パケット生成手段が生成した情報パケットを付加する付記１から付記４のうちのいずれかに記載のデジタル放送信号伝送システム。
【００６２】
（付記６）伝送フォーマット変換前のデジタル放送信号から前記伝送フォーマット変換によって削除される所定情報を抽出する情報抽出手段と、前記情報抽出手段が抽出した所定情報を含む情報パケットを生成する情報パケット生成手段と、伝送フォーマット変換後の前記デジタル放送信号に含まれるＮｕｌｌパケットを検出し、検出した前記Ｎｕｌｌパケットに前記情報パケット生成手段が生成した情報パケットを付加するＮｕｌｌパケット付加手段とを備えたことを特徴とするデジタル放送信号変換装置。
【００６３】
（付記７）受信したデジタル放送信号に含まれる情報パケット及びＩＩＰパケットを検出するパケット検出手段と、前記パケット検出手段が検出した前記ＩＩＰパケットに基づいて、検出した前記情報パケットに含まれる所定情報を前記デジタル放送信号に多重するタイミングを示す多重フレームタイミング信号を生成する多重フレームタイミング信号生成手段と、前記多重フレームタイミング信号生成手段が生成した多重フレームタイミング信号に従って、伝送フォーマット再変換後の前記デジタル放送信号に前記所定情報を多重する情報多重手段とを備えた付記６記載のデジタル放送信号変換装置。
【００６４】
（付記８）伝送フォーマット変換前のデジタル放送信号から前記伝送フォーマット変換によって削除される所定情報を抽出する情報抽出手段と、前記情報抽出手段が抽出した所定情報を含む情報パケットを生成する情報パケット生成手段と、伝送フォーマット変換後の前記デジタル放送信号に含まれるＮｕｌｌパケットを検出し、検出した前記Ｎｕｌｌパケットに前記情報パケット生成手段が生成した情報パケットを付加するＮｕｌｌパケット付加手段とを備えたことを特徴とするデジタル放送信号変換装置の伝送回路。
【００６５】
（付記９）受信したデジタル放送信号に含まれる情報パケット及びＩＩＰパケットを検出するパケット検出手段と、前記パケット検出手段が検出した前記ＩＩＰパケットに基づいて、検出した前記情報パケットに含まれる所定情報を前記デジタル放送信号に多重するタイミングを示す多重フレームタイミング信号を生成する多重フレームタイミング信号生成手段と、前記多重フレームタイミング信号生成手段が生成した多重フレームタイミング信号に従って、伝送フォーマット再変換後の前記デジタル放送信号に前記所定情報を多重する情報多重手段とを備えた付記８記載のデジタル放送信号変換装置の伝送回路。
【００６６】
（付記１０）伝送フォーマット変換前のデジタル放送信号から前記伝送フォーマット変換によって削除される所定情報を抽出する情報抽出手段と、前記情報抽出手段が抽出した所定情報を含む情報パケットを生成する情報パケット生成手段と、伝送フォーマット変換後の前記デジタル放送信号に含まれるＮｕｌｌパケットを検出し、検出した前記Ｎｕｌｌパケットに前記情報パケット生成手段が生成した情報パケットを付加するＮｕｌｌパケット付加手段とを備えたことを特徴とするデジタル放送信号送信装置。
【００６７】
（付記１１）Ｎｕｌｌパケット付加手段は、伝送フォーマット変換後のデジタル放送信号の有効階層に含まれるＮｕｌｌパケットを検出し、検出した前記Ｎｕｌｌパケットに情報パケット生成手段が生成した情報パケットを付加する付記１０記載のデジタルデジタル信号送信装置。
【００６８】
（付記１２）伝送フォーマット変換前のデジタル放送信号から前記伝送フォーマット変換によって削除される所定情報を抽出し、抽出した所定情報を含む情報パケットを生成し、伝送フォーマット変換後の前記デジタル放送信号に含まれるＮｕｌｌパケットを検出し、検出した前記Ｎｕｌｌパケットに前記情報パケット生成手段が生成した情報パケットを付加することを特徴とするデジタル放送信号伝送方法。
【００６９】
（付記１３）受信したデジタル放送信号に含まれる情報パケット及びＩＩＰパケットを検出し、検出した前記ＩＩＰパケットに基づいて、検出した前記情報パケットに含まれる所定情報を前記デジタル放送信号に多重するタイミングを示す多重フレームタイミング信号を生成し、生成した多重フレームタイミング信号に従って、伝送フォーマット再変換後の前記デジタル放送信号に前記所定情報を多重する付記１２記載のデジタル放送信号伝送方法。
【産業上の利用可能性】
【００７０】
本発明は、地上デジタル放送やＢＳ放送に適用可能である。
【符号の説明】
【００７１】
１１  ＴＳ長変換部ＴＸ
１２  Ｎｕｌｌ  Ｐａｃｋｅｔ変換部
１３  ＩＳＤＢ−Ｔ＿ｉｎｆｏｒｍａｔｉｏｎ抽出部
１４  情報パケット生成部
２１  各種パケット検出・変換部
２２  ＴＳ長変換部ＲＸ
２３  ＩＳＤＢ−Ｔ＿ｉｎｆｏｒｍａｔｉｏｎ多重部
２４  ＩＩＰパケット解析部
２５  ＩＳＤＢ−Ｔ＿ｉｎｆｏｒｍａｔｉｏｎ抽出部
１０１  情報抽出手段
１０２  情報パケット生成手段
１０３  Ｎｕｌｌパケット付加手段
【図１】
0005402811.tif 000002
【図２】
0005402811.tif 000003
【図３】
0005402811.tif 000004
【図４】
0005402811.tif 000005
【図５】
0005402811.tif 000006
【図６】
0005402811.tif 000007
【図７】
0005402811.tif 000008